(57)【要約】      （修正有）【課題】スイッチ押し間違いの危惧を出来る限り払拭したリモコン装置の提供。【解決手段】温水洗浄便座装置の特定の機能が作動していることをピクトグラムを点灯させて表示し、且つ前記点灯は、前記ピクトグラムを構成する複数の点灯部の累積的点灯（３１１→３１２→３１３→３１４→３１５）を周期的に行わせるようにし、その累積的点灯周期を機能毎に異ならしめ、更に、前記ピクトグラムは、バックライト照射される液晶表示され、且つ、前記バックライトは温水洗浄便座装置の設置場所の照度に応じて自動的にオン・オフされるリモコン装置を構成した。【選択図】図３
2005140842.tif 000002
【特許請求の範囲】
【請求項１】
温水洗浄便座装置の特定の機能が作動していることを、前記機能を示すピクトグラムを点灯することにより表示し、且つ前記点灯は、前記ピクトグラムを構成する複数の点灯部の累積的点灯を周期的に行わせるようにしてなる、リモコン装置。
【請求項２】
前記ピクトグラムの累積的点灯周期を、機能毎に異ならしめるようにしてなる、請求項１記載のリモコン装置。
【請求項３】
前記ピクトグラムは、バックライト照射される液晶表示され、且つ前記バックライトは、前記温水洗浄便座装置の設置場所の照度に応じて自動的にオン・オフされるようにしてなる、請求項１記載のリモコン装置。
【発明の詳細な説明】
【技術分野】
【０００１】
本発明は、温水洗浄便座装置のリモコン装置に関する。
【背景技術】
【０００２】
おしり洗浄やビデ洗浄を行う温水洗浄便座装置は、例えば、特許文献１に明示されるように、近年、リモコン装置により操作されるようになっている。このリモコン装置に配設されているおしり洗浄スイッチ、ビデ洗浄スイッチ及び乾燥スイッチを押すと、夫々、温水洗浄便座装置のおしり洗浄機能、ビデ洗浄機能及び被洗浄部位乾燥機能が作動するようになっている。しかして、これらのスイッチの表面には、個別にピクトグラムが描写されており、機能選択が容易に出来るようになっている。
【特許文献１】特開平１１−２１００５０号公報
【発明の開示】
【発明が解決しようとする課題】
【０００３】
上記したリモコン装置においては、おしり洗浄スイッチ、ビデ洗浄スイッチ及び乾燥スイッチの表面上には、夫々、当該機能を示すピクトグラムが表示されてはいるものの、リモコン装置を使用する場所（つまりトイレ空間）は暗いので、スイッチを押し間違いの危惧があった。特に、高齢者の場合、白内障等で視力が弱っている場合、かような危惧は倍加する。
【０００４】
それゆえに、本発明は、スイッチを押し間違いの危惧を出来る限り払拭したリモコン装置を提供することを、その課題とする。
【課題を解決するための手段】
【０００５】
上記の課題を解決するために請求項１で講じた技術的手段は、「温水洗浄便座装置の特定の機能が作動していることを、前記機能を示すピクトグラムを点灯することにより表示し、且つ前記点灯は、前記ピクトグラムを構成する複数の点灯部の累積的点灯を周期的に行わせるようにしてなる、リモコン装置」を構成したことである。  
【発明の効果】
【０００６】
請求項１に記載の発明によれば、温水洗浄便座装置の特定の機能が作動していることを、点灯するピクトグラムにより明瞭に認識でき、スイッチの押し間違いの場合は、直ちに正しいスイッチを押しなおすことが出来る。しかも、点灯は、ピクトグラムを構成する複数の点灯部の累積的点灯を周期的に行わせるようにしてなされるので、スイッチ操作の適否の認識を瞬時に行える。
【発明を実施するための最良の形態】
【０００７】
以下、本発明を実施するための最良の形態を、図面を基に説明する。
【０００８】
図１に示されるように、トイレ空間内においては、洋風便器１０が設置されている。この洋風便器１０の後部上面にロータンク１１が設置され、このロータンク１１の前面側には、温水洗浄便座装置の主要部たる便座ボックス１２が設置されている。この便座ボックス１２は、洋風便器１０の側方に張り出す張出部１３を有し、この張出部１３の上面にスイッチパネル（銘板）１４が設けられている。
【０００９】
便座ボックス１２には、便器１０内に延出する洗浄ノズル（図示略）、このノズルに湯を供給するための温水タンク（図示略）、及び温風乾燥ファン（図示略）等が設けられている。この温水タンクにはサーミスタ等の温度センサが設けられている。また、この便座ボックス１２には、暖房便座１７、便蓋１８が上下方向に回動可能に取り付けられていると共に、この暖房便座１７への着座を検知するセンサ（図示略）が設けられている。この暖房便座１７にはサーミスタ等の温度センサ（図示略）が設けられている。
【００１０】
この洋風便器１０の側方のトイレルーム壁面にリモコン装置２０が設置されている。このリモコン２０には、おしり洗浄用操作スイッチ２１、ビデ洗浄用操作スイッチ２２及び温風を吹き出させる乾燥スイッチ２３が設置されており、おしり洗浄用操作スイッチ２１、ビデ洗浄用操作スイッチ２２及び温風を吹き出させる乾燥スイッチ２３が操作されると、夫々、おしり洗浄、ビデ洗浄及び乾燥機能が作動する。そして、おしり洗浄作動の時にマッサージスイッチ２５が押されると、マッサージおしり洗浄がなされるようになっている。しかして、これらの機能は、停止スイッチ２４が押されると、停止する。また、上記したおしり洗浄（マッサージおしり洗浄を含む）やビデ洗浄の場合は、スイッチ２６（２７）を押すと、水勢が強まる（弱まる）ようになっている。
【００１１】
同様のスイッチが張出部のスイッチパネル１４にも設けられている。図示はしないが、洗浄の広がりを調整するためのワイド洗浄入／切スイッチ、洗浄位置前進スイッチ、その後退スイッチ、便座の温度を調整するための便座温度調節スイッチが設けられてもよい。
【００１２】
上記したスイッチ類は、リモコン装置２０の右半分側に整然と集約配置されている。他方、リモコン装置２０の左半分側には、液晶表示部３０が設けられている。液晶表示部３０には、おしり洗浄ピクトグラム３１、マッサージおしり洗浄ピクトグラム３２、ビデ洗浄ピクトグラム３３、乾燥温風温度ピクトグラム３４及び水勢ピクトグラム３５が画成されている。各ピクトグラムは、複数の点灯部から構成されており、対応する機能を示すような形状を呈する。
【００１３】
温水洗浄便座装置の特定の機能が作動している間、当該機能を示すピクトグラムは点灯し、しかも、この点灯は、ピクトグラムを構成する複数の点灯部の累積的点灯を周期的に行わせるようにしている。このような点灯をなすことにより、温水洗浄便座装置の特定の機能が作動していることを、明瞭に認識でき、スイッチの押し間違いの場合は、直ちに正しいスイッチを押しなおすことが出来る。しかも、点灯は、ピクトグラムを構成する複数の点灯部の累積的点灯を周期的に行わせるようにしてなされるので、スイッチ操作の適否の認識を瞬時に行えるようになっている。
【００１４】
いま、おしり洗浄スイッチ２１が押された場合、対応するおしり洗浄ピクトグラム３１は、図３に示されるように、ｔ１秒経過する度に点灯される点灯部が、３１１→３１２→３１３→３１４→３１５の如く、累積的に増加し、４×ｔ１秒経過後には洗浄ピクトグラム３１全体が点灯される。そして、爾後、３１１→３１２→３１３→３１４→３１５の如く、点灯される点灯部が累積的に増加するように点灯表示が、停止スイッチ２４が押されない限り、５×ｔ１秒周期で、繰り返される。
【００１５】
マサージおしり洗浄スイッチ２５が押された場合、対応するマッサージおしり洗浄ピクトグラム３２は、図４に示されるように、ｔ２秒経過する度に点灯される点灯部が、３２１→３２２→３２３→３２４→３２５の如く、累積的に増加し、４×ｔ２秒経過後には洗浄ピクトグラム３２全体が点灯される。そして、爾後、３２１→３２２→３２３→３２４→３２５の如く、点灯される点灯部が累積的に増加するように点灯表示が、停止スイッチ２４が押されない限り、５×ｔ２秒周期で、繰り返される。
【００１６】
ビデ洗浄スイッチ２２が押された場合、対応するビデ洗浄ピクトグラム３３は、図４に示されるように、ｔ３秒経過する度に点灯される点灯部が、３３１→３３２→３３３→３３４→３３５の如く、累積的に増加し、４×ｔ３秒経過後にはビデ洗浄ピクトグラム３３全体が点灯される。そして、爾後、３３１→３３２→３３３→３３４→３３５の如く、点灯される点灯部が累積的に増加するように点灯表示が、停止スイッチ２４が押されない限り、５×ｔ３秒周期で、繰り返される。
【００１７】
乾燥スイッチ２３は、１回目の押圧で温風温度が「中」に、２回目の押圧で温風温度が「高」に、３回目の押圧で温風温度が「低」に、夫々、設定されるようになっている（４回目以降は、この繰り返し）。しかして、温風温度が「中」／「高」／「低」の場合、ｔ４秒経過する度に点灯される点灯部が、３４１→３４２→３４３／３４４→３４５→３４６／３４７→３４８→３４９の如く、累積的に増加し、２×ｔ４／２×ｔ５／２×ｔ６秒経過後には乾燥ピクトグラム３３の高さの３分の２／全体／高さの３分の１が点灯される。そして、爾後、このような点灯表示が、停止スイッチ２４が押されない限り、３×ｔ４／３×ｔ５／３×ｔ６秒周期で、繰り返される。
【００１８】
この液晶表示部３０の裏側にはバックライト（図示略）が配設されており、照度センサ２９が検知した照度に応じて、このバックライトが選択的に点灯されるようになっている。すなわち、リモコン装置２０の下側には、切替スイッチ５０が設けられており、この切替スイッチ５０がオフ位置にあるときは、照度センサ２９が検知した照度にかかわらず、バックライトは点灯されない。しかし、切替スイッチ５０が第１オン位置にあるときは、照度センサ２９が検知した照度にかかわらず、おしり洗浄スイッチ２１及びビデ洗浄スイッチ２２が押されると、所定時間だけ、バックライトが点灯され、対応するピクトグラムが見やすくなるようになっている。また、切替スイッチ５０が第２オン位置にあるときは、照度センサ２９が検知したトイレ空間内の照度が所定値以下の場合に限り、おしり洗浄スイッチ２１及びビデ洗浄スイッチ２２が押されると、所定時間だけ、バックライトが点灯され、対応するピクトグラムが見やすくなるようになっている。これにより、常時バックライトを点灯する場合に比べて、バッテリの寿命を長持ちさせることが出来る。
【図面の簡単な説明】
【００１９】
【図１】本発明に係るリモコン装置により操作される温水洗浄便座装置の斜視図。
【図２】図１に示すベッド装置の本体の全体斜視図。
【図３】おしり洗浄ピクトグラムの点灯状態の変化を示す図。
【図４】マッサージおしり洗浄ピクトグラムの点灯状態の変化を示す図。
【図５】ビデ洗浄ピクトグラムの点灯状態の変化を示す図。
【図６】温風温度が「中」の時の乾燥ピクトグラムの点灯状態の変化を示す図。
【図７】温風温度が「高」の時の乾燥ピクトグラムの点灯状態の変化を示す図。
【図８】温風温度が「低」の時の乾燥ピクトグラムの点灯状態の変化を示す図。
【符号の説明】
【００２０】
２０  リモコン装置
３０  液晶表示部
３１  おしり洗浄ピクトグラム
３２  マッサージおしり洗浄ピクトグラム
３３  ビデ洗浄ピクトグラム
３４  乾燥温風温度ピクトグラム
３６  水勢ピクトグラム
【図１】
2005140842.tif 000003
【図２】
2005140842.tif 000004
【図３】
2005140842.tif 000005
【図４】
2005140842.tif 000006
【図５】
2005140842.tif 000007
【図６】
2005140842.tif 000008
【図７】
2005140842.tif 000009
【図８】
2005140842.tif 000010